(57)【要約】【課題】支持脚を有した天板付什器において、支持脚の上端部の接続強度を高める天板付什器を提供する。【解決手段】天板付什器１は、天板２と、支持脚４０と、天板２の下面２ｂに設けられ、下方に向けて突出する突出部３２、及び突出部３２に形成され、支持脚４０の上端部４０ａが挿入される支持脚挿入凹部３３を有したブラケット３０と、ブラケット３０の第一面３１ｓから下方に向かって延び、支持脚挿入凹部３３に挿入された支持脚４０の上端部４０ａに締結される第一支持脚締結ボルト６２と、突出部３２の内側凹湾曲面３２ｂから、第一支持脚締結ボルト６２が延びる内外方向Ｄ３と交差する方向に延び、支持脚挿入凹部３３に挿入された支持脚４０の上端部４０ａに締結される第二支持脚締結ボルト６３と、を備える構成とした。【選択図】図７
2020065878.tif 000002
【特許請求の範囲】
【請求項１】
天板と、
設置面から上方に延びる複数本の支持脚と、
前記天板の下面に設けられ、下方に向けて突出する突出部、及び前記突出部に形成され、前記支持脚の上端部が挿入される支持脚挿入凹部を有したブラケットと、
前記ブラケットの上側面から下方に向かって延び、前記支持脚挿入凹部に挿入された前記支持脚の前記上端部に締結される第一支持脚締結部材と、
前記突出部の外周面から、前記第一支持脚締結部材が延びる方向と交差する方向に延び、前記支持脚挿入凹部に挿入された前記支持脚の前記上端部に締結される第二支持脚締結部材と、を備える
天板付什器。
【請求項２】
前記支持脚挿入凹部において、前記第二支持脚締結部材が延びる方向における内幅寸法は、前記第二支持脚締結部材が延びる方向における前記支持脚の前記上端部の外幅寸法よりも大きい
請求項１に記載の天板付什器。
【請求項３】
前記支持脚の前記上端部は、前記第二支持脚締結部材が締結される側を向くとともに、前記第二支持脚締結部材が延びる方向に直交する直交側面を有し、
前記支持脚挿入凹部は、前記第二支持脚締結部材が延びる方向で前記直交側面に対向する対向側面を有し、
前記第二支持脚締結部材が締結された状態で、前記直交側面と前記対向側面とが互いに突き当たっている
請求項１または２に記載の天板付什器。
【請求項４】
前記支持脚挿入凹部の内面と前記支持脚の前記上端部の外周面との間において、前記第二支持脚締結部材が延びる方向で前記直交側面及び前記対向側面との突き当て部分とは反対側に隙間が形成されている
請求項３に記載の天板付什器。
【請求項５】
前記支持脚の前記上端部の上面と、前記支持脚挿入凹部の内面において前記上面に対向する頂面とは、前記第一支持脚締結部材が延びる方向で互いに突き当たっている
請求項１から４のいずれか一項に記載の天板付什器。
【請求項６】
前記天板の下面に沿って設けられた平面視多角形状のフレームをさらに備え、
前記ブラケットは、前記フレームの角部に設けられ、
前記第二支持脚締結部材は、前記突出部において前記フレームの内側を向く側から締結されている
請求項１から５のいずれか一項に記載の天板付什器。
【請求項７】
前記ブラケットを、前記天板に下方から締結するブラケット締結部材を備える
請求項１から６のいずれか一項に記載の天板付什器。
【発明の詳細な説明】
【技術分野】
【０００１】
本発明は、天板付什器に関する。
【背景技術】
【０００２】
テーブル、デスク等をはじめとする各種の天板付什器において、複数本の支持脚を有したものがある。各支持脚の上端部は、天板付什器の上部構造体、又は上部構造体の下面に設けられたブラケット等の脚連結部材に接続されている。
【０００３】
例えば、特許文献１には、上部構造体（天板）の下面に設けられた脚連結部材（脚部ラケット）が、円筒状の支持脚（脚柱）の円筒状の上端部に挿入される嵌合部を備えた構成が開示されている。嵌合部と支持脚とは、支持脚の上端部内で取付ネジによって締結されている。
【先行技術文献】
【特許文献】
【０００４】
【特許文献１】特許第５８４９６５３号公報
【発明の概要】
【発明が解決しようとする課題】
【０００５】
ところで、上記のように複数本の支持脚を有する天板付什器において、支持脚に嵌合部を挿入した場合、支持脚と嵌合部との間に、支持脚の延伸方向に交差する方向の隙間が存在すると、支持脚の上端部の接続強度が低下する可能性がある。
支持脚が木製である場合、支持脚は、湿度等によって膨張したり収縮したりする。このため、支持脚に嵌合部を挿入するような構成では、支持脚の膨張・収縮を考慮して、支持脚と嵌合部との間に所定の隙間を設けている場合がある。このような場合も、支持脚と嵌合部との間に設けた所定の隙間に存在することで、支持脚の上端部の接続強度が低下する可能性がある。
本発明は、支持脚の上端部の接続強度を高めることができる天板付什器を提供することを目的とする。
【課題を解決するための手段】
【０００６】
上記目的を達成するために、本発明の一態様に係る天板付什器は、天板と、設置面から上方に延びる複数本の支持脚と、前記天板の下面に設けられ、下方に向けて突出する突出部、及び前記突出部に形成され、前記支持脚の上端部が挿入される支持脚挿入凹部を有したブラケットと、前記ブラケットの上側面から下方に向かって延び、前記支持脚挿入凹部に挿入された前記支持脚の前記上端部に締結される第一支持脚締結部材と、前記突出部の外周面から、前記第一支持脚締結部材が延びる方向と交差する方向に延び、前記支持脚挿入凹部に挿入された前記支持脚の前記上端部に締結される第二支持脚締結部材と、を備える。
【０００７】
この構成によれば、支持脚の上端部は、天板の下面に設けられたブラケットの支持脚挿入凹部に挿入された状態で、第一支持脚締結部材と第二支持脚締結部材とによってブラケットに固定される。互いに異なる方向に延びる第一支持脚締結部材と第二支持脚締結部材とで、支持脚の上端部をブラケットに固定することで、支持脚の上端部が強固に固定される。これにより、支持脚の上端部と支持脚挿入凹部との間に隙間が存在するような場合であっても、支持脚の上端部の接続強度を高めることができる。
【０００８】
本発明の一態様に係る天板付什器において、前記支持脚挿入凹部において、前記第二支持脚締結部材が延びる方向における内幅寸法は、前記第二支持脚締結部材が延びる方向における前記支持脚の前記上端部の外幅寸法よりも大きいようにしてもよい。
この構成によれば、支持脚挿入凹部の内幅寸法を、支持脚の上端部の外幅寸法よりも大きくすることで、支持脚の上端部を支持脚挿入凹部に容易に挿入することができる。支持脚挿入凹部に挿入された支持脚の上端部は、第一支持脚締結部材と第二支持脚締結部材とでブラケットに強固に固定される。
【０００９】
本発明の一態様に係る天板付什器において、前記支持脚の前記上端部は、前記第二支持脚締結部材が締結される側を向くとともに、前記第二支持脚締結部材が延びる方向に直交する直交側面を有し、前記支持脚挿入凹部は、前記第二支持脚締結部材が延びる方向で前記直交側面に対向する対向側面を有し、前記第二支持脚締結部材が締結された状態で、前記直交側面と前記対向側面とが互いに突き当たっているようにしてもよい。
この構成によれば、第二支持脚締結部材が締結された状態で支持脚の上端部の直交側面と支持脚挿入凹部の対向側面とが互いに突き当たることで、支持脚挿入凹部に挿入された支持脚の上端部が、強固かつ安定的に固定される。
【００１０】
本発明の一態様に係る天板付什器において、前記支持脚挿入凹部の内面と前記支持脚の前記上端部の外周面との間において、前記第二支持脚締結部材が延びる方向で前記直交側面及び前記対向側面との突き当て部分とは反対側に隙間が形成されているようにしてもよい。
この構成によれば、直交側面及び対向側面の突き当て部分とは反対側で、支持脚挿入凹部と支持脚の上端部との間に隙間が形成されていても、支持脚の上端部の直交側面と支持脚挿入凹部の対向側面とが互いに突き当たることで、支持脚挿入凹部に挿入された支持脚の上端部が、強固かつ安定的に固定される。
【００１１】
本発明の一態様に係る天板付什器において、前記支持脚の前記上端部の上面と、前記支持脚挿入凹部の内面において前記上面に対向する頂面とは、前記第一支持脚締結部材が延びる方向で互いに突き当たっているようにしてもよい。
この構成によれば、支持脚の上端部の上面と、支持脚挿入凹部の頂面とが互いに突き当たることで、支持脚挿入凹部に挿入された支持脚の上端部が、より強固かつ安定的に固定される。
【００１２】
本発明の一態様に係る天板付什器において、前記天板の下面に沿って設けられた平面視多角形状のフレームをさらに備え、前記ブラケットは、前記フレームの角部に設けられ、前記第二支持脚締結部材は、前記突出部において前記フレームの内側を向く側から締結されているようにしてもよい。
この構成によれば、第二支持脚締結部材は、前記フレームの外側に露呈しない。これにより、天板付を外側から見たときに第二支持脚締結部材が露呈するのを抑え、天板付什器の外観を向上させることができる。
【００１３】
本発明の一態様に係る天板付什器において、前記ブラケットを、前記天板に下方から締結するブラケット締結部材を備えるようにしてもよい。
この構成によれば、支持脚の上端部が接続されるブラケットを、天板に固定することで、支持脚の上端部を強固に固定することができる。また、ブラケット締結部材が天板の上面側に露呈しないので、これによっても天板付什器の外観を向上させることができる。
【発明の効果】
【００１４】
本発明の一態様によれば、支持脚の上端部の接続強度を高めることが可能となる。
【図面の簡単な説明】
【００１５】
【図１】本発明の実施形態に係る天板付什器の全体構成を示す正面図である。
【図２】上記天板付什器の天板支持体を示す斜視図である。
【図３】上記天板支持体に設けられたジョイント部材を示す斜視図である。
【図４】上記天板支持体に設けられたブラケットを斜め上方から見た斜視図である。
【図５】上記ブラケットを斜め下方から見た斜視図である。
【図６】上記ブラケットが設けられたフレームの角部を示す平面図である。
【図７】上記ブラケットが設けられたフレームの角部を示す側断面図であり、図６のＡ−Ａ矢視に相当する断面図である。
【図８】上記天板支持体に設けられた支持脚を示す斜視図である。
【図９】本発明の実施形態に係る天板付什器の変形例において、支持脚を金属製とした場合の、上記ブラケットに対する接続構造を示す側断面図である。
【発明を実施するための形態】
【００１６】
以下、添付図面を参照して、本発明による天板付什器を実施するための形態を説明する。しかし、本発明はこの実施形態のみに限定されるものではない。
【００１７】
図１は、本発明の実施形態に係る天板付什器１の全体構成を示す正面である。
図１に示すように、天板付什器１は、天板２と、天板支持体３と、を備える。この天板付什器１は、例えば、テーブル、デスク等として用いられる。天板２は、板状で、その上面２ａに物品が載置可能である。本実施形態において、天板２は、平面視長方形状である。なお、以下の説明では、天板２の上面２ａに沿う面内方向（水平方向）のうち、天板２の長手方向を単に長手方向Ｄ１といい、天板２の短手方向を単に短手方向Ｄ２という。天板２の平面形状は、長方形状に限らず、円形、長円形、楕円形、多角形状等であってもよい。
また、天板２の材質は、金属材、木材、樹脂材等、いかなるものであってもよい。
【００１８】
図２は、上記天板付什器１の天板支持体３を示す斜視図である。
天板支持体３は、天板２の下方に設けられ、天板２を支持する。図１、図２に示すように、天板支持体３は、フレーム２０と、ブラケット３０と、支持脚４０と、を備える。
【００１９】
フレーム２０は、天板２の下面２ｂに沿って設けられている。フレーム２０は、平面視多角形状である。本実施形態において、フレーム２０は、平面視長方形状の天板２に対応して、天板２の平面視外形よりも小さい平面視長方形状とされている。フレーム２０は、一対の第一の杆体２１と、一対の第二の杆体２２と、ジョイント部材２３と、を備える。
【００２０】
一対の第一の杆体２１は、フレーム２０の短手方向Ｄ２の両側部を構成している。一対の第一の杆体２１は、それぞれ、天板２の下面２ｂに沿って、長手方向Ｄ１に延びている。
【００２１】
一対の第二の杆体２２は、フレーム２０の長手方向Ｄ１の両側部を構成している。一対の第二の杆体２２は、それぞれ、天板２の下面２ｂに沿って、第一の杆体２１が延びる方向と交差（直交）する短手方向Ｄ２に延びている。
これら第一の杆体２１、第二の杆体２２は、金属製の角管から形成されている。
【００２２】
ジョイント部材２３は、フレーム２０の角部２０ｃを構成している。ジョイント部材２３は、第一の杆体２１の端部と、第二の杆体２２の端部とを接続する。
【００２３】
図３は、上記天板支持体３に設けられたジョイント部材２３を示す斜視図である。
図３に示すように、ジョイント部材２３は、ジョイント部材本体２４と、一対の杆体接続部２５と、を備えている。
【００２４】
ジョイント部材本体２４は、略直方体状のブロック状をなしている。ジョイント部材本体２４は、平面視すると、その四方に側面２４ａ，２４ｂ，２４ｃ，２４ｄを有している。側面２４ａ，２４ｂ，２４ｃ，２４ｄは、互いに直交して形成されている。二つの側面２４ｃ，２４ｄの間には、後述する軸支ボス２７の中心軸Ｃ１を中心として、天板付什器１の外側に向けて凸の円弧状をなす円弧状側面２４ｅが形成されている。また、ジョイント部材本体２４の底面２４ｆは、水平面内に位置するよう形成されている。
【００２５】
一対の杆体接続部２５は、ジョイント部材本体２４において互いに隣り合う二つの側面２４ａ，２４ｂから直交する方向に各別に突出している。すなわち、一対の杆体接続部２５のうち、第一の杆体接続部２５は、側面２４ｂから長手方向Ｄ１に沿って突出している。一対の杆体接続部２５のうち、第二の杆体接続部２５は、側面２４ａから短手方向Ｄ２に沿って突出している。これにより、一対の杆体接続部２５は、側面２４ａ，２４ｂから水平面内で互いに直交する二方向に突出している。各杆体接続部２５は、その突出方向に直交する断面形状がそれぞれ矩形である。例えば、第一の杆体接続部２５は、第一の杆体２１の端部に挿入されている。第二の杆体接続部２５は、第二の杆体２２の端部に挿入されている。第一の杆体２１、第二の杆体２２の端部と、各杆体接続部２５とは、図示しないボルト、溶接等で接続されている。
【００２６】
ジョイント部材本体２４の側面２４ａ，２４ｂは、各杆体接続部２５の突出方向から見て、杆体接続部２５の外側に拡径して形成されている。これにより、各杆体接続部２５に挿入される第一の杆体２１及び第二の杆体２２は、ジョイント部材本体２４の対応する側面２４ａ，２４ｂにそれぞれ突き当たっている。
【００２７】
ジョイント部材本体２４には、ブラケット３０を受ける受け面２６が形成されている。受け面２６は、ジョイント部材本体２４の上端２４ｔよりも下方に窪むように形成されている。受け面２６は、水平面内に位置し、上方を向いている。受け面２６は、側面２４ｃ，２４ｄ側に向かって開放されている。換言すると、受け面２６は、フレーム２０の角部２０ｃにおいて、水平方向における天板付什器１の外側に向かって開放して形成されている。
【００２８】
受け面２６の略中央部には、軸支ボス２７が設けられている。軸支ボス２７は、受け面２６から上方に向かって突出する円柱状をなしている。軸支ボス２７の上端２７ｔは、ジョイント部材本体２４の上端２４ｔよりも低い位置に形成されている。
【００２９】
また、受け面２６に対し、側面２４ａ，２４ｂ側（天板付什器１の内側）には、立ち上がり壁部２４ｗが設けられている。立ち上がり壁部２４ｗは、受け面２６から上方に立ち上がるよう形成されている。立ち上がり壁部２４ｗは、軸支ボス２７の中心軸Ｃ１周りの周方向に連続している。立ち上がり壁部２４ｗには、軸支ボス２７側に、軸支ボス２７を中心として円弧状をなす内壁面２４ｖが形成されている。
【００３０】
図４は、上記天板支持体３に設けられたブラケット３０を斜め上方から見た斜視図である。図５は、上記ブラケット３０を斜め下方から見た斜視図である。図６は、上記ブラケット３０が設けられたフレーム２０の角部２０ｃを示す平面図である。図７は、上記ブラケット３０が設けられたフレーム２０の角部２０ｃを示す側断面図であり、図６のＡ−Ａ矢視に相当する断面図である。
図４〜図７に示すように、ブラケット３０は、フレーム２０の複数の角部２０ｃのそれぞれに設けられている。図４、図５に示すように、ブラケット３０は、ベース部３１と、突出部３２と、支持脚挿入凹部３３と、を有している。
【００３１】
ベース部３１は、板厚方向を上下方向とする板状をなしている。ベース部３１は、上方を向く第一面（上側面）３１ｓを天板２の下面２ｂに対向させた状態で、天板２の下面２ｂに固定される。具体的に、ベース部３１には、複数のボルト挿通孔３１ｈが形成されている。各ボルト挿通孔３１ｈは、ベース部３１を板厚方向（上下方向）に貫通して形成されている。図７に示すように、ベース部３１は、複数のブラケット締結ボルト（ブラケット締結部材）６１によって、天板２の下面２ｂに固定される。各ブラケット締結ボルト６１は、各ボルト挿通孔３１ｈを通して、天板２に締結される。
【００３２】
図４〜図６に示すように、ベース部３１は、平面視で略五角形状をなし、一対の側辺部３１ａと、一対の斜辺部３１ｂと、内側辺部３１ｃと、を有している。
一対の側辺部３１ａは、互いに平行に延びている。
一対の斜辺部３１ｂは、一対の側辺部３１ａの一方の端部から、傾斜して延びている。一対の斜辺部３１ｂは、一対の側辺部３１ａから離間するにしたがって、互いに接近している。一対の斜辺部３１ｂは、ベース部３１の外側端部３１ｑにおいて互いに連結されている。
【００３３】
内側辺部３１ｃは、ベース部３１の内側端部３１ｐに形成されている。内側辺部３１ｃは、一対の側辺部３１ａの他方の端部同士を連結する。内側辺部３１ｃの中央部には、外側端部３１ｑから離間する方向に突出する凸辺部３１ｅが形成されている。内側辺部３１ｃの凸辺部３１ｅの両側には、凸辺部３１ｅに対して外側端部３１ｑ側に窪む凹辺部３１ｆが形成されている。
【００３４】
図６に示すように、ブラケット３０は、ベース部３１の内側端部３１ｐを、フレーム２０の角部２０ｃ側に向け、外側端部３１ｑを角部２０ｃから天板付什器１の外側に向かって離間する方向に向けて配置される。
【００３５】
図５、図７に示すように、突出部３２は、ベース部３１と一体に形成されている。突出部３２は、ベース部３１を天板２の下面２ｂに固定した状態で、ベース部３１から下方に突出するよう形成されている。図５に示すように、突出部３２は、下方から見て、ベース部３１の外側端部３１ｑと内側端部３１ｐとを結ぶ方向（以下、内外方向Ｄ３という。）に延びて形成されている。突出部３２は、その外周部に、一対の側面部３２ａと、内側凹湾曲面（外周面）３２ｂと、外側凸湾曲面３２ｃと、を有している。これら一対の側面部３２ａ、内側凹湾曲面３２ｂ及び外側凸湾曲面３２ｃは、それぞれ、ベース部３１の第二面３１ｔ（下面）に対して直交して延びている。これら一対の側面部３２ａ、内側凹湾曲面３２ｂ及び外側凸湾曲面３２ｃは、それぞれ、突出部３２から見て水平方向外側を向いている。
【００３６】
一対の側面部３２ａは、第二面３１ｔ上で間隔をあけて互いに平行に形成されている。一対の側面部３２ａは、それぞれ上述した内外方向Ｄ３に延びている。
【００３７】
内側凹湾曲面３２ｂは、突出部３２において、ベース部３１の内側端部３１ｐ側に形成されている。内側凹湾曲面３２ｂは、一対の側面部３２ａの一方の端部（内外方向Ｄ３における内側端部）同士を連結するよう形成されている。内側凹湾曲面３２ｂは、下方から見て外側端部３１ｑ側に円弧状に窪むように湾曲している。
【００３８】
外側凸湾曲面３２ｃは、突出部３２において、ベース部３１の外側端部３１ｑ側に形成されている。外側凸湾曲面３２ｃは、一対の側面部３２ａの他方の端部（内外方向Ｄ３における外側端部）同士を連結するよう形成されている。外側凸湾曲面３２ｃは、下方から見て外側端部３１ｑ側に円弧状に突出して湾曲している。図６、図７に示すように、ブラケット３０は、突出部３２の内側凹湾曲面３２ｂを、ジョイント部材本体２４の円弧状側面２４ｅに対向させて配置される。すなわち、突出部３２は、内側凹湾曲面３２ｂをフレーム２０の角部２０ｃ側に向け、外側凸湾曲面３２ｃを角部２０ｃから天板付什器１の外側に向かって離間する方向に向けて配置される。
【００３９】
図５、図７に示すように、突出部３２の下端面３４は、上下方向に直交する平面状で、ベース部３１を天板２の下面２ｂに固定した状態で、下面２ｂと平行に、つまり水平面内に位置している。
【００４０】
支持脚挿入凹部３３は、突出部３２の下端面３４から上方に向かって窪んで形成されている。支持脚挿入凹部３３の内面は、一対の側部壁面３３ａと、内側壁面（対向側面）３３ｂと、外側壁面３３ｃと、を有する。これら一対の側部壁面３３ａ、内側壁面３３ｂ及び外側壁面３３ｃは、それぞれ、ベース部３１の第二面３１ｔに直交して形成されている。
【００４１】
一対の側部壁面３３ａは、一対の側面部３２ａと平行に設けられている。
内側壁面３３ｂは、一対の側部壁面３３ａの一方の端部（内外方向Ｄ３における内側端部）同士を連結するよう形成されている。
外側壁面３３ｃは、一対の側部壁面３３ａの他方の端部（内外方向Ｄ３における外側端部）同士を連結するよう形成されている。外側壁面３３ｃは、下方から見て、外側凸湾曲面３２ｃと同心状に湾曲して形成されている。
【００４２】
上方に向かって窪む支持脚挿入凹部３３において、一対の側部壁面３３ａ、内側壁面３３ｂ、外側壁面３３ｃに囲まれる空間は、頂面３３ｅによって塞がれている。
【００４３】
支持脚挿入凹部３３の頂面３３ｅには、複数個所に、第一ボルト挿通孔３５が開口している。第一ボルト挿通孔３５は、ベース部３１を上下方向に貫通している。図７に示すように、第一ボルト挿通孔３５には、後述する第一支持脚締結ボルト（第一支持脚締結部材）６２が挿通される。第一ボルト挿通孔３５において、ベース部３１の第一面３１ｓ側には、第一支持脚締結ボルト６２の頭部が収容されるザグリ部３５ａが形成されている。
【００４４】
また、図５〜図７に示すように、突出部３２には、内側凹湾曲面３２ｂと支持脚挿入凹部３３の内側壁面３３ｂとの間を貫通する第二ボルト挿通孔３６が形成されている。第二ボルト挿通孔３６は、内側凹湾曲面３２ｂと、支持脚挿入凹部３３の内側壁面３３ｂとを、上述した内外方向Ｄ３に貫通している。第二ボルト挿通孔３６は、内側壁面３３ｂに直交して延びている。また、内側凹湾曲面３２ｂには、第二ボルト挿通孔３６の周囲に、内外方向Ｄ３に直交する平面部３６ｆが形成されている。第二ボルト挿通孔３６には、後述する第二支持脚締結ボルト（第二支持脚締結部材）６３が挿通される。平面部３６ｆには、第二支持脚締結ボルト６３の頭部の座面が突き当たる。
【００４５】
また、図４〜図６に示すように、ブラケット３０のベース部３１の内側端部３１ｐには、軸支穴３７が形成されている。
軸支穴３７は、ベース部３１の凸辺部３１ｅと、突出部３２の内側凹湾曲面３２ｂとの間に配置されている。軸支穴３７は、ベース部３１の第二面３１ｔから第一面３１ｓ側に窪んで形成されている。図７に示すように、軸支穴３７には、ジョイント部材２３に設けられた軸支ボス２７が挿入される。
【００４６】
このようにして、ブラケット３０は、軸支穴３７に軸支ボス２７を挿入した状態で、天板２の下面２ｂに固定されることによって、ジョイント部材２３に連結されている。
【００４７】
図１、図２に示すように、支持脚４０は、例えば、木製で、フレーム２０の四隅にそれぞれ配置されている。支持脚４０の下端部４０ｂは、床等の設置面Ｆに接地している。支持脚４０は、下端部４０ｂから上方に延びて構成されている。図７に示すように、各支持脚４０は、その上端部４０ａがブラケット３０に接続されている。支持脚４０は、上端部４０ａから下端部４０ｂに向かって、傾斜して設けられている。本実施形態において、支持脚４０は、上端部４０ａから下端部４０ｂに向かって、内外方向Ｄ３における外側（天板付什器１の外側）に向かって傾斜している。
【００４８】
図８は、上記天板支持体３に設けられた支持脚４０を示す斜視図である。
図６〜図８に示すように、支持脚４０の上端部４０ａは、ブラケット３０の支持脚挿入凹部３３に挿入される接続凸部４１を有している。接続凸部４１は、支持脚挿入凹部３３に補形する断面形状を有している。接続凸部４１は、上下方向に同一断面形状を有して延びている。接続凸部４１は、一対の凸部側面４１ａと、凸部内側面（直交側面）４１ｂと、凸部外側面４１ｃと、上端面４１ｔと、を有する。
【００４９】
一対の凸部側面４１ａは、内外方向Ｄ３に沿って互いに平行に設けられている。
凸部内側面４１ｂは、一対の凸部側面４１ａの一方の端部（内外方向Ｄ３における内側端部）同士を連結するよう形成されている。凸部外側面４１ｃは、一対の凸部側面４１ａの他方の端部（内外方向Ｄ３における外側端部）同士を連結するよう形成されている。凸部外側面４１ｃは、上方から見て、内外方向Ｄ３における外側に凸の円弧状に湾曲している。
上端面４１ｔは、上下方向に直交して形成されている。
【００５０】
接続凸部４１の上端面４１ｔには、複数個所に、第一雌ネジ孔４５が開口している。また、接続凸部４１の凸部内側面４１ｂには、第二雌ネジ孔４６が開口している。
【００５１】
ここで、図６、図７に示すように、接続凸部４１が挿入される支持脚挿入凹部３３は、内幅寸法Ｗ１が、接続凸部４１の外幅寸法Ｗ２よりも大きい。内幅寸法Ｗ１は、内外方向Ｄ３（第二支持脚締結ボルト６３が延びる方向）における内側壁面３３ｂと外側壁面３３ｃとの間隔である。外幅寸法Ｗ２は、内外方向Ｄ３における凸部内側面４１ｂと凸部外側面４１ｃとの間隔である。
【００５２】
支持脚４０の接続凸部４１には、支持脚挿入凹部３３に挿入された状態で、第一支持脚締結ボルト６２が締結される。第一支持脚締結ボルト６２は、ブラケット３０の第一面３１ｓから下方に向かって延びる。第一支持脚締結ボルト６２は、第一ボルト挿通孔３５を通して、第一雌ネジ孔４５に締結される。このように、第一支持脚締結ボルト６２が締結された状態で、支持脚４０の上端部４０ａの上端面４１ｔと、支持脚挿入凹部３３において上端面４１ｔに対向する頂面３３ｅとは、上下方向（第一支持脚締結ボルト６２が延びる方向）で互いに突き当たっている。なお、支持脚４０の上端面４１ｔと、支持脚挿入凹部３３において上端面４１ｔに対向する頂面３３ｅとは、上下方向で離間していてもよい。
【００５３】
また、接続凸部４１には、支持脚挿入凹部３３に挿入された状態で、第二支持脚締結ボルト６３が締結される。第二支持脚締結ボルト６３は、突出部３２においてフレーム２０の内外方向Ｄ３の内側に設けられている。第二支持脚締結ボルト６３は、突出部３２の内側凹湾曲面３２ｂから、上下方向に交差する内外方向Ｄ３に延びる。第二支持脚締結ボルト６３は、第二ボルト挿通孔３６を通して、第二雌ネジ孔４６に締結される。このように、第二支持脚締結ボルト６３が締結された状態で、接続凸部４１の凸部内側面４１ｂと、支持脚挿入凹部３３の内側壁面３３ｂは、内外方向Ｄ３で互いに突き当たっている。なお、接続凸部４１の凸部内側面４１ｂと、支持脚挿入凹部３３の内側壁面３３ｂは、内外方向Ｄ３で離間していてもよい。
【００５４】
また、支持脚挿入凹部３３の内面と支持脚４０の接続凸部４１の外周面との間において、少なくとも凸部内側面４１ｂ及び内側壁面３３ｂの突き当て部分に対して内外方向Ｄ３の反対側（外側壁面３３ｃと凸部外側面４１ｃとの間）には、隙間Ｓが形成されている。この隙間Ｓにより、木製の支持脚４０の接続凸部４１が、湿気等によって膨張することを許容する。なお、この隙間Ｓは、支持脚４０の接続凸部４１が内外方向Ｄ３に膨張した場合には、形成されないこともある。本実施形態の隙間Ｓは、支持脚挿入凹部３３の内面と支持脚４０の接続凸部４１の外周面との間において、凸部内側面４１ｂ及び内側壁面３３ｂの突き当て部分以外の全体に亘って形成されている。すなわち、隙間Ｓは、内側壁面３３ｂと凸部内側面４１ｂとの間、及び外側壁面３３ｃと凸部外側面４１ｃとの間に亘って連続的に形成されている。
【００５５】
このように、支持脚４０の上端部４０ａは、上記ブラケット３０を介してフレーム２０の角部２０ｃに接続されている。支持脚４０の接続凸部４１は、支持脚挿入凹部３３の頂面３３ｅと、内側壁面３３ｂとの少なくとも二面に突き当たって固定されている。
【００５６】
本実施形態では、支持脚挿入凹部３３に挿入された支持脚４０の上端部４０ａに締結される第一支持脚締結ボルト６２と、突出部３２の内側凹湾曲面３２ｂから、第一支持脚締結ボルト６２が延びる方向と交差する方向に延び、支持脚挿入凹部３３に挿入された支持脚４０の上端部４０ａに締結される第二支持脚締結ボルト６３と、を備える構成とした。
このような構成によれば、支持脚４０の上端部４０ａは、天板２の下面２ｂに設けられたブラケット３０の支持脚挿入凹部３３に挿入された状態で、第一支持脚締結ボルト６２と第二支持脚締結ボルト６３とによってブラケット３０に固定される。互いに異なる方向に延びる第一支持脚締結ボルト６２と第二支持脚締結ボルト６３とによって、支持脚４０の上端部４０ａの接続凸部４１をブラケット３０に固定することで、支持脚４０の上端部４０ａが強固に固定される。これにより、支持脚４０の上端部４０ａと支持脚挿入凹部３３との間に隙間Ｓが存在するような場合であっても、支持脚４０の上端部４０ａの接続強度を高めることができる。
また、支持脚４０の上端部４０ａには、第一支持脚締結ボルト６２及び第二支持脚締結ボルト６３が締結される第一雌ネジ孔４５，第二雌ネジ孔４６を形成すればよく、支持脚４０への加工を最小限に抑えることができる。これにより、支持脚４０の材料選定の自由度を高めることができる。
【００５７】
本実施形態では、支持脚挿入凹部３３の内外方向Ｄ３における内幅寸法Ｗ１は、支持脚４０の上端部４０ａの内外方向Ｄ３における外幅寸法Ｗ２よりも大きい構成とした。
このような構成によれば、支持脚４０の上端部４０ａの接続凸部４１を支持脚挿入凹部３３に容易に挿入することができる。支持脚挿入凹部３３に挿入された接続凸部４１は、第一支持脚締結ボルト６２と第二支持脚締結ボルト６３とでブラケット３０に強固に固定される。
【００５８】
本実施形態では、第二支持脚締結ボルト６３が締結された状態で、凸部内側面４１ｂと内側壁面３３ｂとが互いに突き当たっている構成とした。
このような構成によれば、支持脚挿入凹部３３に挿入された支持脚４０の上端部４０ａが、強固かつ安定的に固定される。
【００５９】
本実施形態では、天板付什器１において、支持脚挿入凹部３３の外側壁面３３ｃと接続凸部４１の凸部外側面４１ｃとの間に隙間Ｓが形成されている構成とした。
このような構成によれば、凸部内側面４１ｂと内側壁面３３ｂとが互いに突き当たることで、支持脚挿入凹部３３に挿入された支持脚４０の上端部４０ａが、強固かつ安定的に固定されている状態においても、上端部４０ａが内外方向Ｄ３に膨張することを許容することができる。このようにして、木製の支持脚４０を用いる場合であっても、天板付什器１の組立作業を容易に行うことができる。
【００６０】
本実施形態では、天板付什器１において、第一支持脚締結ボルト６２が締結された状態で、支持脚４０の上端部４０ａの上端面４１ｔと、支持脚挿入凹部３３の頂面３３ｅとが、互いに突き当たる構成とした。
このような構成によれば、支持脚挿入凹部３３に挿入された支持脚４０の上端部４０ａが、より強固かつ安定的に固定される。
【００６１】
本実施形態では、第二支持脚締結ボルト６３は、突出部３２において内外方向Ｄ３の内側から締結されている構成とした。
このような構成によれば、第二支持脚締結ボルト６３は、フレーム２０の外側に露呈しない。これにより、天板２付を外側から見たときに第二支持脚締結ボルト６３が露呈するのを抑え、天板付什器１の外観を向上させることができる。
【００６２】
本実施形態では、天板付什器１において、ブラケット３０がブラケット締結ボルト６１によって天板２に下方から締結される構成とした。
このような構成によれば、支持脚４０の上端部４０ａが接続されるブラケット３０を、天板２に固定することで、支持脚４０の上端部４０ａを強固に固定することができる。また、ブラケット締結ボルト６１が天板２の上面２ａ側に露呈しないので、これによっても天板付什器１の外観を向上させることができる。
【００６３】
（実施形態の変形例）
上記実施形態では、支持脚４０を木製としたが、これに限らない。支持脚４０は、金属製等であってもよい。
図９は、本発明の実施形態に係る天板付什器１Ｂの変形例において、支持脚４０Ｂを金属製とした場合の、上記ブラケット３０に対する接続構造を示す側断面図である。
図９に示すように、支持脚４０Ｂは、金属製で、その上端部４０ａには、ブラケット３０の支持脚挿入凹部３３に挿入される接続凸部４１Ｂを有している。接続凸部４１Ｂの上端面４１ｔには、複数個所に、第一雌ネジ孔４５Ｂが開口している。また、接続凸部４１Ｂの凸部内側面４１ｂには、第二雌ネジ孔４６Ｂが開口している。
【００６４】
第一支持脚締結ボルト６２は、第一ボルト挿通孔３５を通して、第一雌ネジ孔４５Ｂに締結される。第一支持脚締結ボルト６２が締結された状態で、支持脚４０Ｂの上端部４０ａの上端面４１ｔと、支持脚挿入凹部３３において上端面４１ｔに対向する頂面３３ｅとは、互いに突き当たっている。
【００６５】
また、第二支持脚締結ボルト６３は、第二ボルト挿通孔３６を通して、第二雌ネジ孔４６Ｂに締結される。第二支持脚締結ボルト６３が締結された状態で、接続凸部４１Ｂの凸部内側面４１ｂと、支持脚挿入凹部３３の内側壁面３３ｂは、第二支持脚締結ボルト６３が延びる方向（内外方向Ｄ３）に直交して互いに突き当たっている。
【００６６】
このような金属製の支持脚４０Ｂの場合、木製の支持脚４０のように、湿度等による膨張・収縮は生じにくいので、支持脚挿入凹部３３と支持脚４０Ｂの上端部４０ａとの間に隙間を設けなくてもよい。但し、支持脚４０Ｂの寸法ばらつき等を考慮して、支持脚挿入凹部３３と支持脚４０Ｂの接続凸部４１Ｂとの間に隙間を設けてもよい。
【００６７】
以上、本発明の好ましい実施例を説明したが、本発明はこれら実施例に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上記実施形態では、支持脚挿入凹部３３の外側壁面３３ｃと接続凸部４１の凸部外側面４１ｃとの間に隙間Ｓを有するようにしたが、支持脚挿入凹部３３の側部壁面３３ａと接続凸部４１の凸部側面４１ａとの間に隙間を設けるようにしてもよい。
【００６８】
また、上記実施形態では、第二支持脚締結ボルト６３を、内側凹湾曲面３２ｂ側（内外方向Ｄ３の内側）から締結するようにしたが、これに限らない。第二支持脚締結ボルト６３は、突出部３２の側面部３２ａや外側凸湾曲面３２ｃ側から接続凸部４１に締結するようにしてもよい。
【００６９】
また、上記実施形態では、支持脚４０を、上端部４０ａから下端部４０ｂに向かって、天板付什器１の外側に傾斜するようにしたが、これに限らない。支持脚４０を、上端部４０ａから下端部４０ｂに向かって、天板付什器１の内側に傾斜するようにしてもよい。さらには、支持脚４０を傾斜させず、上端部４０ａから下端部４０ｂに向かって上下方向に直線状に延びるように設けてもよい。
【００７０】
また、上記実施形態では、ブラケット３０の構成について説明したが、その構成は一例に過ぎない。支持脚４０の上端部４０ａが接続されるブラケット３０は、支持脚挿入凹部を有しているのであれば、いかなる構成であってもよい。例えば、ブラケット３０は、フレーム２０に設けられた軸支ボス２７を軸支穴３７に挿入する構成としたが、ブラケット３０をフレーム２０に接続する構成は、例えばボルト留め、溶接等であってもよい。
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００７１】
１  天板付什器
２  天板
２０  フレーム
２０ｃ  角部
３０  ブラケット
３１ｓ  第一面（上側面）
３２  突出部
３２ｂ  内側凹湾曲面（外周面）
３３  支持脚挿入凹部
３３ｂ  内側壁面（対向側面）
３３ｅ  頂面
４０，４０Ｂ  支持脚
４０ａ  上端部
４１ｂ  凸部内側面（直交側面）
４１ｔ  上端面
６１  ブラケット締結ボルト（ブラケット締結部材）
６２  第一支持脚締結ボルト（第一支持脚締結部材）
６３  第二支持脚締結ボルト（第二支持脚締結部材）
Ｆ  設置面
Ｓ  隙間
Ｗ１  内幅寸法
Ｗ２  外幅寸法
【図１】
2020065878.tif 000003
【図２】
2020065878.tif 000004
【図３】
2020065878.tif 000005
【図４】
2020065878.tif 000006
【図５】
2020065878.tif 000007
【図６】
2020065878.tif 000008
【図７】
2020065878.tif 000009
【図８】
2020065878.tif 000010
【図９】
2020065878.tif 000011